(57)【要約】      （修正有）【課題】作業工具やソケットを同時に収納可能な多機能手工具ホルダを提供する。【解決手段】多機能手工具ホルダは、底座と、掛止部材と、挟持部材とを有し、該底座は、底板及び摺動レールを備え、該底板に少なくとも１つの貫通孔が形成され、該摺動レールは、底板の長さと一致するように底板の一側に設けられ、上面に貫通状の上開口が形成されると共に、内部に上開口と連通する摺動溝が形成され、該掛止部材は、底座に取り付けられ、複数の掛止ブロックを備え、各掛止ブロックが、摺動レールの長手方向に沿って摺動可能かつ回転可能であり、該挟持部材は、底座に取り付けられ、少なくとも１つのホルダ部材を有し、ホルダ部材が底板に取り付けられると共に、結合部及び挟持部を備え、結合部が、底板の貫通孔に挿設され、その一側に固定凸部が設けられ、挟持部が、作業工具を底板に位置決めるため、底板の上方に位置するように結合部の上面に一体に成形される。【選択図】図１
2018058207.tif 000002
【特許請求の範囲】
【請求項１】
底板及び摺動レールを備え、該摺動レールが、底板の長さと一致するように、係合構造により着脱可能に底板の一側に取り付けられる、底座と、
前記底座に取り付けられ、少なくとも１つのホルダ部材を有し、該ホルダ部材が底板に取り付けられ、該ホルダ部材により作業工具を挟持して底板に位置決める、挟持部材と、
前記底座に取り付けられ、それぞれ摺動レールの端部を封止する、底座の両端に取り付けられる２つの支持座を備える、取っ手部材と、を有することを特徴とする多機能手工具ホルダ。
【請求項２】
前記摺動レールの上面に貫通状の上開口が形成され、該摺動レールの内部に上開口と連通する摺動溝が形成され、
前記底座はさらに結合レールを有し、該結合レールは、摺動レールの底部に設けられると共に、連通開口及び結合溝を備え、そのうち、連通開口は、摺動溝と連通すると共に、摺動レールの底部を貫通するように形成され、該結合溝は、連通開口と連通するように結合レールの内部に形成され、
さらに、掛止部材を有し、該掛止部材は、底座に取り付けられると共に、掛止プレート及び複数の掛止ブロックを備え、そのうち、掛止プレートは、結合レールの結合溝に設置されると共に、その上面の中央部分に膨らみを有する当接部が凸設され、該当接部の上面に複数の弧状の位置決め凹部が間隔をおいて凹設され、該各掛止ブロックは、掛止プレートに当接するように、摺動可能に摺動レールの摺動溝に設置されると共に、組立部及び掛止部を備え、その内、組立部は、掛止プレートの当接部に当接するように摺動溝に設置されると共に、その底部に位置決め凹部に係合するための位置決め凸部が凸設され、該掛止部は、摺動レールの上開口から突出するように、組立部の上面に延設されることを特徴とする請求項１に記載の多機能手工具ホルダ。
【請求項３】
前記底板の上面及び底面に少なくとも１つの貫通状の収容穴が形成されると共に、貫通状の複数の結合穴が間隔をおいて形成され、
前記挟持部材はさらに蓋を有し、該蓋は、着脱可能に底板に取り付けられ、また、作業工具の突出部を通過させるために、蓋の上面及び底面に少なくとも１つの貫通状の挿入穴が収容穴と対応するように形成され、さらに、該蓋は、複数の挿設柱と、複数の介在部材と、複数の螺合ユニットを備え、そのうち、挿設柱は、蓋の底面に凸設され、対応する底板の結合穴に挿設され、該介在部材は、底板から突出した挿設柱の末端から環装され、該螺合ユニットは、介在部材を押圧するように挿設柱に捻じ込まれ、蓋をしっかりと底板に取り付けることを特徴とする請求項２に記載の多機能手工具ホルダ。
【請求項４】
前記挟持部材の少なくとも１つのホルダ部材が蓋の上面に取り付けられると共に、該各ホルダ部材が結合部及び挟持部を備え、そのうち、結合部は蓋の上面に形成され、該挟持部は、弾性を備えるＵ字形のフックであり、底板の上方に位置するように結合部の上面に一体に成形され、その２つの自由端の近傍の内側面にそれぞれ挟持凸部が設けられ、
前記底座は２つの封止レールを備え、そのうちの１つの封止レールは、底板の底部に凸設され、もう１つの封止レールは、結合レールをカバーするように摺動レールの底部に凸設され、更に、該各封止レールの底部に貫通状の下開口が形成され、その内部に下開口と連通する封止溝が形成され、
前記取っ手部材は、複数の取付プレートを備え、該各取付プレートは、底板または摺動レールの一端近傍に位置するように、そのうちの１つの封止レールに取り付けられると共に、該封止レールの下開口と連通する取付穴が形成され、
前記各支持座は、封止板と、延出板と、２つの取付ユニットを備え、該封止板は、その対応する摺動レール、結合レール、２つの封止レールの端部を封止するように、底座の一端に縦方向に貼り付けられ、該延出板は、底座の下方に位置するように、封止板の一側に延設されると共に、２つの貫通穴が間隔をおいて形成され、該２つの取付ユニットはそれぞれ貫通穴を通過して取付プレートに締め付けられることを特徴とする請求項３に記載の多機能手工具ホルダ。
【請求項５】
各封止板の上面に、底板の上面と同一平面である取っ手板が横方向に延設され、
前記掛止プレートの位置決め凹部は、湾曲状を呈し、
前記各掛止ブロックの位置決め凸部は、円環状の係合リングであり、その一部が位置決め凹部に係合されると共に、その他の一部が掛止プレートの中央部分の上面に当接し、また、該各掛止ブロックの組立部が円形プレートであり、掛止部の一側の壁に弾性を備える掛止凸部が設けられ、
さらに、サブ摺動レールと、サブ結合レールと、サブ掛止部材を有し、そのうち、サブ摺動レールは、係合構造によって着脱可能に底板における、摺動レールと反対する側に取り付けられると共に、摺動レール及びサブ摺動レールがそれぞれ底板の両側に取り付けられ、該サブ結合レールがサブ摺動レールの内部に設置され、
前記サブ掛止部材は、サブ摺動レール及びサブ結合レールに取り付けられ、前記掛止プレート及び掛止ブロックを備え、該掛止プレートは、サブ結合レールの内部に設置され、各位置決め凹部は、当接部の上面に形成される細長状の凹部であり、各掛止ブロックは、掛止プレートに当接するように、摺動可能かつ回転不能にサブ摺動レールの内部に設置されると共に、組立部及び掛止部を備え、そのうち、組立部は、矩形を呈し、掛止プレートの当接部に当接するようにサブ摺動レールに設置され、該組立部の位置決め凸部は、位置決め凹部に係合可能な係合リブであり、これにより、掛止ブロックをしっかりと掛止プレートに位置決めてサブ摺動レールに対するずれを防止し、
摺動レール及びサブ摺動レールの底面にそれぞれ、結合レール及びサブ結合レールをカバーする２つの封止レールが凸設され、各支持座は、その対応する摺動レール、サブ摺動レール、結合レール、サブ結合レール、２つの封止レールを封止可能な長さであることを特徴とする請求項３に記載の多機能手工具ホルダ。
【発明の詳細な説明】
【技術分野】
【０００１】
本発明は、特に作業工具及びソケットを同時に収納することができる多機能手工具ホルダに関するものである。
【背景技術】
【０００２】
既存の手工具ホルダは、レール部材及び該レール部材に摺動可能に取り付けられる複数の固定部材を有し、その内、レール部材の上面にレールが設けられ、該各固定部材は摺動座を備え、該摺動座は、摺動可能にレールに取り付けられると共に、その上面に挿設部が凸設され、該挿設部は、掛止穴または掛止ロッドであり、挿設部が掛止穴であれば、ソケットを収容して収納でき、挿設部が掛止ロッドであれば、ソケットレンチなどの作業工具を掛止して収納することができる。
【先行技術文献】
【特許文献】
【０００３】
【特許文献１】台湾特許第Ｉ４６００６０号
【特許文献２】米国ＵＳ  ９，１２６，３２９
【発明の概要】
【発明が解決しようとする課題】
【０００４】
しかしながら、既存の手工具ホルダは、ソケットまたはソケットレンチなどの作業工具を収納することはできるが、１種類の作業工具しか収納することができなく、つまり、同時に２種類の作業工具を収納することができない。
そのため、作業時に、ボルトやナットを締め付けたり緩めたりする場合、非常に不便であった。
【課題を解決するための手段】
【０００５】
本発明の多機能手工具ホルダは、
底板及び摺動レールを備え、該底板に少なくとも１つの貫通孔が形成され、該摺動レールは、底板の長さと一致するように底板の一側に設けられ、上面に貫通状の上開口が形成されると共に、内部に上開口と連通する摺動溝が形成される、底座と、
前記底座に取り付けられ、複数の掛止ブロックを備え、該各掛止ブロックが、回転可能に摺動レールの摺動溝に設置され、摺動レールの長手方向に沿って摺動可能かつ回転可能である、掛止部材と、
前記底座に取り付けられ、少なくとも１つのホルダ部材を有し、該ホルダ部材が底板に取り付けられると共に、結合部及び挟持部を備え、そのうち、結合部が、底板の貫通孔に挿設され、その一側に固定凸部が設けられ、該挟持部が、作業工具を底板に位置決めるため、底板の上方に位置するように、結合部の上面に一体に成形される、挟持部材とを有するものである。
【０００６】
かかる多機能手工具ホルダにおいて、
前記底座はさらに結合レールを有し、該結合レールは、摺動レールの底部に設けられ、連通開口及び結合溝を備え、そのうち、連通開口は、摺動溝と連通すると共に、摺動レールの底部を貫通するように形成され、該結合溝は、連通開口と連通するように結合レールの内部に形成され、
前記掛止部材はさらに掛止プレートを有し、該掛止プレートは、結合レールの結合溝に設置され、その上面の中央部分に膨らみを有する当接部が凸設され、該当接部は、掛止プレートの長手方向に沿って設けられ、また、連通開口を通過して摺動レールの摺動溝に向かって延出し、該当接部が各掛止ブロックの底部に当接することが好ましい。
【０００７】
かかる多機能手工具ホルダにおいて、
前記底座は、２つの封止レールを備え、
前記２つの封止レールはそれぞれ、底板及び摺動レールの長さと一致し、そのうちの１つの封止レールが貫通孔と連通するように底板の底部に凸設され、もう１つの封止レールが結合レールをカバーするように摺動レールの底部に凸設され、また、該各封止レールの底部に貫通状の下開口が形成されると共に、各封止レールの内部に下開口と連通する封止溝が形成されることが好ましい。
【０００８】
かかる多機能手工具ホルダにおいて、
２つの取っ手部材がそれぞれ掛止部材の両端に位置するように底座に取り付けられ、該各取っ手部材は、複数の取付プレート及び２つの支持座を備え、その内、取付プレートは、底板及び摺動レールの一端に位置するように、摺動可能に封止レールに取り付けられると共に、封止レールの下開口と連通する取付穴が形成され、該２つの支持座はそれぞれ、摺動レール、結合レール、封止レールの端部を封止するように底座の両端に取り付けられ、取付ユニットが支持座に貫設されて下開口を通過するように取付プレートに取り付けられることが好ましい。
【０００９】
かかる多機能手工具ホルダにおいて、
各支持座は、封止板と、延出板と、連結レールを備え、そのうち、封止板は、底座の一端に縦方向に貼り付けられ、その上面に底板の底面と同一平面となる取っ手板が横方向に延設され、該延出板は、底座の下方に位置するように、封止板における、取っ手板と反対する側に設けられると共に、２つの貫通穴が間隔をおいて形成され、２つの取付ユニットはそれぞれ貫通穴を通過して取付プレートに締め付けられ、該連結レールは、延出板の底部から封止板と反対する方向へ延設され、
前記各取っ手部材はさらに２つの磁性体を備え、該２つの磁性体はそれぞれ、底座の下方に位置するように、支持座に取り付けられると共に、フレーム及び少なくとも１つの磁性ブロックを備え、そのうち、フレームは、支持座の連結レールに嵌め込まれ、固定ユニットが連結レール及びフレームに貫設されることによって、連結レールに固定され、該磁性ブロックは、フレームの底部に嵌め込まれることが好ましい。
【００１０】
さらに、本発明の多機能手工具ホルダは、
底板及び摺動レールを備え、該摺動レールが、底板の長さと一致するように、係合構造により着脱可能に底板の一側に取り付けられる、底座と、
前記底座に取り付けられ、少なくとも１つのホルダ部材を有し、該ホルダ部材が底板に取り付けられ、該ホルダ部材により作業工具を挟持して底板に位置決める、挟持部材と、
前記底座に取り付けられ、それぞれ摺動レールの端部を封止する、底座の両端に取り付けられる２つの支持座を備える、取っ手部材と、を有してもよい。
【００１１】
かかる多機能手工具ホルダにおいて、
前記摺動レールの上面に貫通状の上開口が形成され、該摺動レールの内部に上開口と連通する摺動溝が形成され、
前記底座はさらに結合レールを有し、該結合レールは、摺動レールの底部に設けられると共に、連通開口及び結合溝を備え、そのうち、連通開口は、摺動溝と連通すると共に、摺動レールの底部を貫通するように形成され、該結合溝は、連通開口と連通するように結合レールの内部に形成され、
さらに、掛止部材を有し、該掛止部材は、底座に取り付けられると共に、掛止プレート及び複数の掛止ブロックを備え、そのうち、掛止プレートは、結合レールの結合溝に設置されると共に、その上面の中央部分に膨らみを有する当接部が凸設され、該当接部の上面に複数の弧状の位置決め凹部が間隔をおいて凹設され、該各掛止ブロックは、掛止プレートに当接するように、摺動可能に摺動レールの摺動溝に設置されると共に、組立部及び掛止部を備え、その内、組立部は、掛止プレートの当接部に当接するように摺動溝に設置されると共に、その底部に位置決め凹部に係合するための位置決め凸部が凸設され、該掛止部は、摺動レールの上開口から突出するように、組立部の上面に延設されることが好ましい。
【００１２】
かかる多機能手工具ホルダにおいて、
前記底板の上面及び底面に少なくとも１つの貫通状の収容穴が形成されると共に、貫通状の複数の結合穴が間隔をおいて形成され、
前記挟持部材はさらに蓋を有し、該蓋は、着脱可能に底板に取り付けられ、また、作業工具の突出部を通過させるために、蓋の上面及び底面に少なくとも１つの貫通状の挿入穴が収容穴と対応するように形成され、さらに、該蓋は、複数の挿設柱と、複数の介在部材と、複数の螺合ユニットを備え、そのうち、挿設柱は、蓋の底面に凸設され、対応する底板の結合穴に挿設され、該介在部材は、底板から突出した挿設柱の末端から環装され、該螺合ユニットは、介在部材を押圧するように挿設柱に捻じ込まれ、蓋をしっかりと底板に取り付けることが好ましい。
【００１３】
かかる多機能手工具ホルダにおいて、
前記挟持部材の少なくとも１つのホルダ部材が蓋の上面に取り付けられると共に、該各ホルダ部材が結合部及び挟持部を備え、そのうち、結合部は蓋の上面に形成され、該挟持部は、弾性を備えるＵ字形のフックであり、底板の上方に位置するように結合部の上面に一体に成形され、その２つの自由端の近傍の内側面にそれぞれ挟持凸部が設けられ、
前記底座は２つの封止レールを備え、そのうちの１つの封止レールは、底板の底部に凸設され、もう１つの封止レールは、結合レールをカバーするように摺動レールの底部に凸設され、更に、該各封止レールの底部に貫通状の下開口が形成され、その内部に下開口と連通する封止溝が形成され、
前記取っ手部材は、複数の取付プレートを備え、該各取付プレートは、底板または摺動レールの一端近傍に位置するように、そのうちの１つの封止レールに取り付けられると共に、該封止レールの下開口と連通する取付穴が形成され、
前記各支持座は、封止板と、延出板と、２つの取付ユニットを備え、該封止板は、その対応する摺動レール、結合レール、２つの封止レールの端部を封止するように、底座の一端に縦方向に貼り付けられ、該延出板は、底座の下方に位置するように、封止板の一側に延設されると共に、２つの貫通穴が間隔をおいて形成され、該２つの取付ユニットはそれぞれ貫通穴を通過して取付プレートに締め付けられることが好ましい。
【００１４】
かかる多機能手工具ホルダにおいて、
各封止板の上面に、底板の上面と同一平面である取っ手板が横方向に延設され、
前記掛止プレートの位置決め凹部は、湾曲状を呈し、
前記各掛止ブロックの位置決め凸部は、円環状の係合リングであり、その一部が位置決め凹部に係合されると共に、その他の一部が掛止プレートの中央部分の上面に当接し、また、該各掛止ブロックの組立部が円形プレートであり、掛止部の一側の壁に弾性を備える掛止凸部が設けられ、
さらに、サブ摺動レールと、サブ結合レールと、サブ掛止部材を有し、そのうち、サブ摺動レールは、係合構造によって着脱可能に底板における、摺動レールと反対する側に取り付けられると共に、摺動レール及びサブ摺動レールがそれぞれ底板の両側に取り付けられ、該サブ結合レールがサブ摺動レールの内部に設置され、
前記サブ掛止部材は、サブ摺動レール及びサブ結合レールに取り付けられ、前記掛止プレート及び掛止ブロックを備え、該掛止プレートは、サブ結合レールの内部に設置され、各位置決め凹部は、当接部の上面に形成される細長状の凹部であり、各掛止ブロックは、掛止プレートに当接するように、摺動可能かつ回転不能にサブ摺動レールの内部に設置されると共に、組立部及び掛止部を備え、そのうち、組立部は、矩形を呈し、掛止プレートの当接部に当接するようにサブ摺動レールに設置され、該組立部の位置決め凸部は、位置決め凹部に係合可能な係合リブであり、これにより、掛止ブロックをしっかりと掛止プレートに位置決めてサブ摺動レールに対するずれを防止し、
摺動レール及びサブ摺動レールの底面にそれぞれ、結合レール及びサブ結合レールをカバーする２つの封止レールが凸設され、各支持座は、その対応する摺動レール、サブ摺動レール、結合レール、サブ結合レール、２つの封止レールを封止可能な長さであることが好ましい。
【発明の効果】
【００１５】
上述の構造によれば、本発明に係る多機能手工具ホルダは、ソケットや作業工具を同時に収納することができるので、収納上または使用上非常に便利である。また、その底座の両端にそれぞれ取っ手部材が設けられることから、支持座が底座の構造を強化すると共に、取っ手板を用いて多機能手工具ホルダを容易に持ち運ぶことができ、さらに、その取っ手部材に磁性体を設置すれば、多機能手工具ホルダをツールラックなどの金属物に吸着して位置決めることもできる。
【００１６】
本発明に係る多機能手工具ホルダは、底座に掛止部材及び挟持部材を有することから、ソケット及び作業工具を同時に底座に掛止して収納することができるので、作業中にソケットまたは作業工具が紛失することはない。
【図面の簡単な説明】
【００１７】
【図１】本発明に係る多機能手工具ホルダの第一実施例の斜視図である。
【図２】本発明に係る多機能手工具ホルダの第一実施例の分解斜視図である。
【図３】本発明に係る多機能手工具ホルダの第一実施例の他の斜視図である。
【図４】本発明に係る多機能手工具ホルダの第一実施例の部分断面図である。
【図５】本発明に係る多機能手工具ホルダの第一実施例の平面図である。
【図６】図５のＡ−Ａ線の断面図である。
【図７】本発明に係る多機能手工具ホルダの第一実施例の部分拡大断面図である。
【図８】本発明に係る多機能手工具ホルダの第二実施例の斜視図である。
【図９】本発明に係る多機能手工具ホルダの第二実施例の分解斜視図である。
【図１０】本発明に係る多機能手工具ホルダの第三実施例の斜視図である。
【図１１】本発明に係る多機能手工具ホルダの第三実施例の分解斜視図である。
【図１２】本発明に係る多機能手工具ホルダの第三実施例の他の分解斜視図である。
【図１３】本発明に係る多機能手工具ホルダの第三実施例の更に他の分解斜視図である。
【図１４】本発明に係る多機能手工具ホルダの第三実施例の平面図である。
【図１５】本発明に係る図１４のＢ−Ｂ線の断面図である。
【図１６】本発明に係る図１４のＣ−Ｃ線の断面図である。
【図１７】本発明に係る多機能手工具ホルダの第三実施例の部分拡大断面図である。
【図１８】本発明に係る多機能手工具ホルダの第四実施例の斜視図である。
【図１９】本発明に係る多機能手工具ホルダの第四実施例の分解斜視図である。
【図２０】本発明に係る多機能手工具ホルダの第四実施例の他の分解斜視図である。
【図２１】本発明に係る多機能手工具ホルダの第四実施例の平面図である。
【図２２】本発明に係る図２１のＤ−Ｄ線の断面図である。
【図２３】本発明に係る多機能手工具ホルダの第四実施例の操作状態を示す説明図である。
【図２４】本発明に係る多機能手工具ホルダの第五実施例の斜視図である。
【発明を実施するための形態】
【００１８】
図１乃至図３に示すように、本発明に係る多機能手工具ホルダの第一実施例は、底座１０と、掛止部材２０と、挟持部材３０と、取っ手部材４０を有する。
【００１９】
図２乃至図４に示すように、前記底座１０はアルミ押出材からなり、底板１１と、摺動レール１２と、結合レール１３と、２つの封止レール１４を備え、そのうち、底板１１は、水平方向に延設する矩形のプレートであり、その上面及び底面に少なくとも貫通状の１つの細長状の貫通孔１１１が形成される。尚、第一実施例では、底板１１の上面及び底面に貫通状の３つの貫通孔１１１が間隔をおいて形成され、さらに、該上面及び底面に貫通状の収容穴１１２が形成されることが好ましい。また、前記摺動レール１２は、底板１１の長さと一致するように底板１１の一側に設けられる。
図４に示すように、その摺動レール１２と底板１１とには段差を有し、また、該摺動レール１２の上面に貫通状の上開口１２１が形成されると共に、内部に上開口１２１と連通する摺動溝１２２が形成される。尚、第一実施例では、その摺動溝１２２の幅Ｗ１が上開口１２１の幅Ｗ２よりも大きい設定となっている。
【００２０】
前記結合レール１３は、摺動レール１２の底部に設けられると共に、連通開口１３１及び結合溝１３２を備え、そのうち、連通開口１３１は、摺動溝１２２と連通すると共に、摺動レール１２の底部を貫通するように形成され、更に、該連通開口１３１の幅Ｗ３は摺動溝１２２の幅Ｗ２よりも小さく、該結合溝１３２は、連通開口１３１と連通するように結合レール１３の内部に形成され、該結合溝１３２の幅Ｗ４は連通開口１３１の幅Ｗ３よりも大きく設定されている。
【００２１】
前記２つの封止レール１４の長さはそれぞれ、底板１１及び摺動レール１２の長さと同一であり、そのうちの１つの封止レール１４は、貫通孔１１１と連通するように底板１１の底部に凸設され、もう１つの封止レール１４は、結合レール１３をカバーするように摺動レール１２の底部に凸設され、さらに、該各封止レール１４の底部に貫通状の下開口１４１が形成されると共に、内部に下開口１４１と連通する封止溝１４２が形成され、該下開口１４１の幅Ｗ５は封止溝１４２の幅Ｗ６よりも小さく設定されている。
【００２２】
図２及び図３に示すように、前記掛止部材２０は、底座１０に取り付けられ、掛止プレート２１及び複数の掛止ブロック２２を備え、そのうち、掛止プレート２１は、弾性を備える細長状の弾性プレートであり、結合レール１３の結合溝１３２に設置されると共に、上面の中央部分に膨らみを有する当接部２１１が凸設され、該当接部２１１は、掛止プレート２１の長手方向に沿って延設され、また、連通開口１３１を通過して摺動レール１２の摺動溝１２２に向かって延出し、該各掛止ブロック２２は、回転可能に摺動レール１２の摺動溝１２２に設置され、摺動レール１２の長手方向に沿って摺動可能且つ回転可能であると共に、組立部２２１及び掛止部２２２を備え、その内、組立部２２１は、掛止プレート２１の当接部２１１に当接するように摺動溝１２２に設置され、平坦状のプレートまたは階段状の円盤体であってもよく、該掛止部２２２は、摺動レール１２の上開口１２１を通過して上方へ延出するように、組立部２２１の上面に延設される矩形のブロックであり、その一側の壁に弾性を備える掛止凸部２２３が設けられ、この構成によれば、ソケットをしっかりと掛止ブロック２２の掛止部２２２に掛止することができる。
【００２３】
図３、図５、図６に示すように、前記挟持部材３０は、底座１０に取り付けられ、少なくとも１つのホルダ部材３１を有し、該ホルダ部材３１は、底板１１に挿設されると共に、結合部３１１及び挟持部３１２を備え、そのうち、結合部３１１は平坦状のプレートであり、底板１１の貫通孔１１１に挿設され、その一側に固定凸部３１３が設けられ、該固定凸部３１３が底板１１に当接することによって、ホルダ部材３１を底板１１に位置決めて固定することができ、該挟持部３１２は、弾性を備えるＵ字形のフックであり、底板１１の上方に位置するように、結合部３１１の上面に一体に成形され、この構成によれば、ホルダ部材３１により作業工具５０を挟持して底板１１に位置決めることができる。
尚、前記挟持部３１２における自由端の近傍の内側面にそれぞれ挟持凸部３１４が設けられることが好ましく、さらに、その挟持部材３０のホルダ部材３１の数量は、底板１１の貫通孔１１１の数量と一致する。
前記収容穴１１２及び挟持部材３０を有すれば、作業工具５０の突出部５１を底板１１の収容穴１１２に挿入した時、底板１１の底部を貫き、作業工具５０が挟持部材３０により挟持されるので、作業工具５０の突出部５１を収容した時、しっかりと底板１１に位置決めることができる。
【００２４】
図１、図２、図７に示すように、前記２つの取っ手部材４０はそれぞれ、掛止部材２０の両端に位置するように底座１０に取り付けられ、複数の取付プレート４１と、２つの支持座４２と、２つの磁性体４３を備え、その内、取付プレート４１は矩形を呈し、底板１１及び摺動レール１２の一端に位置するように、摺動可能に封止レール１４に取り付けられると共に、封止レール１４の下開口１４１と連通する取付穴４１１が形成され、この構成によれば、取付ユニット６０が下開口１４１を通過して取付プレート４１に螺合され、また、該２つの支持座４２は、アルミの押出材からなり、それぞれ摺動レール１２、結合レール１３、封止レール１４の端部を封止するように底座１０の両端に取り付けられる。
【００２５】
前記各支持座４２は、封止板４２１と、延出板４２２と、連結レール４２３を備え、該封止板４２１は、摺動レール１２、結合レール１３、封止レール１４の一端を封止するように、底座１０の一端に縦方向に貼り付けられ、その上面に取っ手板４２４が横方向に延設され、該取っ手板４２４は、底板１１の底面と同一平面であり、これにより、取っ手板４２４を握持して多機能手工具ホルダを持ち上げ、該延出板４２２は、底座１０の下方に位置するように、封止板４２１における、取っ手板４２４と反対する側に延設されると共に、２つの貫通穴４２５が間隔をおいて形成され、２つの取付ユニット６０はそれぞれ貫通穴４２５を通過して取付プレート４１に螺合される。また、この構成によれば、支持座４２が取付プレート４１及び底座１０の底部に取り付けられ、該連結レール４２３は、延出板４２２の底部から封止板４２１と反対する方向へ延設され、底座１０との間に隙間Ｇが形成される。
【００２６】
前記２つの磁性体４３はそれぞれ、底座１０の下方に位置するように支持座４２に取り付けられると共に、フレーム４３１及び少なくとも１つの磁性ブロック４３２を備え、そのうち、フレーム４３１は、Ｕ字形を呈し、支持座４２の連結レール４２３に嵌め込まれると共に、固定ユニット７０が連結レール４２３及びフレーム４３１に貫設されることによって、フレーム４３１を連結レール４２３に固定し、また、該磁性ブロック４３２が、フレーム４３１に嵌め込まれ、金属物に吸着効果を提供することにより、多機能手工具ホルダを磁性体４３によるツールラックなどの金属物に吸着して位置決める。
【００２７】
図１及び図４に示すように、本発明に係る多機能手工具ホルダの第一実施例を用いてソケットを収納する時は、ソケットを掛止部材２０の掛止ブロック２２の掛止部２２２に環装すれば掛止凸部２２３により掛止ブロック２２に位置決めることができ、そのソケットを回転させれば、掛止ブロック２２を掛止プレート２１に対して回転できることことから、ソケットの寸法マークを使用者が確認できる位置まで調整することができる。
また、そのソケットを摺動または回転の調整を行うと、掛止ブロック２２の組立部２２１が掛止プレート２１の当接部２１１に当接することによって、ソケットをしっかりと摺動レール１２に位置決めることができる。さらに、その掛止ブロック２２が摺動レール１２に対して回転または摺動することはないので、ソケットをしっかりと底座１０に掛止して収納することができる。
【００２８】
一方、図３、図４、図６に示すように、本発明に係る多機能手工具ホルダの第一実施例を用いて作業工具５０を収納する時は、その作業工具５０を挟持部材３０のホルダ部材３１の挟持凸部３１４で挟持することにより底板１１に位置決めると共に、その作業工具５０の突出部５１が底板１１の収容穴１１２に挿入して底板１１の底部から突出する設計となっているので、作業工具５０をしっかりと底座１０に掛止して収納することができる。
さらに、図１及び図２に示すように、そのソケット及び作業工具５０を掛止部材２０及び挟持部材３０による底座１０に掛止して収納する時、取っ手部材４０の２つの磁性体４３によってツールラックなどの金属物に固定する位置決めることにより、ソケット及び作業工具５０を同時に収納できるのみならず、多機能手工具ホルダを所望の位置に位置決めることもできる。このように、本発明に係る多機能手工具ホルダは、ソケット及び作業工具５０を同時に収納できるだけでなく、持ち運びも容易であるので、使用上の利便性が高い。
【００２９】
図８及び図９に示すように、本発明に係る多機能手工具ホルダの第二実施例は、殆ど図１乃至図７に示した第一実施例と同一であるが、摺動レール１２Ａと底板１１Ａとの間に段差を設けずに、摺動レール１２Ａと底板１１Ａとを平坦状に組み立てる点において異なる。
【００３０】
図１０及び図１３に示すように、本発明に係る多機能手工具ホルダの第三実施例は、殆ど図１乃至図７に示した第一実施例と同一であるが、以下の点において異なる。
本発明に係る多機能手工具ホルダの第三実施例では、その底座１０Ｂの底板１１Ｂに貫通孔１１１は形成されていないが、収容穴１１２Ｂを備えると共に、底板１１Ｂの上面及び底面を貫通する複数の結合穴１１３Ｂが間隔をおいて形成され、また、図１１及び図１３に示すように、その摺動レール１２Ｂは、底板１１Ｂの長さと一致するように、ある係合構造による着脱可能に底板１１Ｂの一側に取り付けられ、図１１、図１３、図１６に示すように、そのうちの１つの封止レール１４Ｂは、底板１１Ｂの底部における、摺動レール１２Ｂと反対する側に設けられると共に、もう１つの封止レール１４Ｂは、結合レール１３Ｂをカバーするように摺動レール１２Ｂの底部に設けられ、該封止レール１４Ｂの長さは底板１１Ｂ及び摺動レール１２Ｂの長さと同一である。
【００３１】
図１１、図１３、図１６、図１７に示すように、掛止部材２０Ｂは、底座１０Ｂに取り付けられ、当接部２１１Ｂの上面に複数の膨らみを有する位置決め凹部２１２Ｂが間隔をおいて凹設され、各掛止ブロック２２Ｂは、摺動レール１２Ｂの長手方向に沿って回転可能且つ摺動可能に摺動溝１２２Ｂに設置され、該各掛止ブロック２２Ｂの組立部２２１Ｂの底部に位置決め凹部２１２Ｂに係合するための位置決め凸部２２４Ｂが凸設され、該位置決め凸部２２４Ｂは、円環状の係合リングであり、この構成によれば、掛止ブロック２２Ｂをしかっりと掛止プレート２１Ｂに位置決められるので、摺動レール１２Ｂに対して摺動することはない。さらに、図１７に示すように、各掛止ブロック２２Ｂの位置決め凸部２２４Ｂの一部は位置決め凹部２１２Ｂに係合されると共に、位置決め凸部２２４Ｂの他の一部は掛止プレート２１Ｂの中央部分の上面に当接することから、掛止ブロック２２Ｂをしっかりと掛止プレート２１Ｂに位置決めて底座１０Ｂに固定することができる。
【００３２】
図１１、図１２、図１４、図１５に示す実施例においては、挟持部材３０Ｂが着脱可能に底座１０Ｂに取り付けられ、少なくとも１つのホルダ部材３１Ｂが底板１１Ｂに取り付けられ、該挟持部材３０Ｂはさらに、蓋３２Ｂを有し、該蓋３２ＢはＵ字形を呈し、着脱可能に底板１１Ｂに取り付けられ、少なくとも１つの挿入穴３２１Ｂ及び複数の挿設柱３２２Ｂを備え、それらの挿入穴３２１Ｂはそれぞれ、収容穴１１２Ｂと対応するように、蓋３２Ｂの上面及び底面を貫通するように形成され、それらの挿設柱３２２Ｂは、蓋３２Ｂの底面に凸設され、対応する底板１１Ｂの結合穴１１３Ｂに挿設され、その末端は底板１１Ｂを通過して外部に突出し、更に、該挿設柱３２２Ｂの底板１１Ｂから突出した末端に介在部材３２３Ｂが環装され、その端面に介在部材３２３Ｂを押圧して止めるように螺合ユニット３２４Ｂが螺合される。
【００３３】
さらに、前記各ホルダ部材３１Ｂは、蓋３２Ｂの上面に設けられ、該蓋３２Ｂの上面に結合部３１１Ｂが形成され、前記底板１１Ｂの上方に位置するように挟持部３１２Ｂが結合部３１１Ｂの上面に一体に成形され、図１２及び図１５に示すように、作業工具５０の突出部５１は、挿入穴３２１Ｂ及び収容穴１１２Ｂを通過して底板１１Ｂの底部から突出するように設置されることから、作業工具５０をホルダ部材３１Ｂ、挿入穴３２１Ｂ、収容穴１１２Ｂによって底板１１Ｂの上方に位置させながら蓋３２Ｂにしっかりと位置決めることができる。
【００３４】
図１１、図１５、図１６に示すように、取っ手部材４０Ｂが掛止部材２０Ｂの両端に位置するように底座１０Ｂに取り付けられる。尚、本実施例では、第一実施例の磁性体４３を有しない。
その取っ手部材４０Ｂの各取付プレート４１Ｂは、方形を呈し、底板１１Ｂまたは摺動レール１２Ｂの一端の近傍に位置するように、摺動可能にそのうちの１つの封止レール１４Ｂに取り付けられる。尚、本実施例では、第一実施例の連結レール４２３を有しない。
【００３５】
図１０、図１６、図１７に示すように、本発明に係る多機能手工具ホルダの第三実施例を使用する時は、ソケットを掛止部材２０Ｂの掛止ブロック２２Ｂに環装して収納することができ、また、そのソケットを回転させると、掛止ブロック２２Ｂが掛止プレート２１Ｂに対して回転することから、該ソケットの寸法マークを使用者側に向けることができるので、作業中に選択し易くなる。
また、前記掛止ブロック２２Ｂの組立部２２１Ｂが掛止プレート２１Ｂの当接部２１１Ｂに当接することから、ソケットを回転させたり摺動させてりして調整すれば、ソケットをしっかりと摺動レール１２Ｂに位置決めることができる。すなわち、掛止ブロック２２Ｂが摺動レール１２Ｂに対して回転したり摺動したりすることはないので、ソケットをしっかりと底座１０Ｂに掛止して収納することができる。
【００３６】
図１０、図１２、図１４、図１５に示すように、本発明に係る多機能手工具ホルダを用いて作業工具５０を収納する時は、その作業工具５０を挟持部材３０Ｂのホルダ部材３１Ｂにより挟持して底板１１Ｂの上方に位置させ、且つ蓋３２Ｂに位置決めることができ、また、該作業工具５０の突出部５１を蓋３２Ｂの挿入穴３２１Ｂ及び底板１１Ｂの収容穴１１２Ｂに挿入して底板１１Ｂの底部から突出させると共に、作業工具５０をホルダ部材３１Ｂで挟持して挿入穴３２１Ｂ及び収容穴１１２Ｂに位置決めることにより、作業工具５０をしっかりと底板１１Ｂの上方、且つ蓋３２Ｂに位置決めて収納することができる。
【００３７】
さらに、図１０及び図１１に示すように、そのソケット及び作業工具５０をそれぞれ掛止部材２０Ｂ及び挟持部材３０Ｂにより底座１０Ｂに掛止して収納することができる。このように、本発明に係る多機能手工具ホルダを有すれば、ソケット及び作業工具５０を同時に収納できると共に、外に持ち運ぶこともできるので、実用性に優れている。
【００３８】
図１８乃至図２２に示すように、本発明に係る多機能手工具ホルダの第四実施例は、図１０乃至図１３に示した第三実施例と殆ど同一であるが、以下の点において異なる。
第四実施例はさらに、サブ摺動レール１２Ｃ、サブ結合レール１３Ｃ、サブ掛止部材２０Ｃを有し、そのうち、サブ摺動レール１２Ｃは、係合構造によって着脱可能に底板１１Ｂにおける、摺動レール１２Ｂと反対する側に取り付けられ、すなわち、摺動レール１２Ｂ及びサブ摺動レール１２Ｃがそれぞれ底板１１Ｂの両側に取り付けられ、該サブ結合レール１３Ｃがサブ摺動レール１２Ｃの内部に設置される。また、そのサブ摺動レール１２Ｃ及びサブ結合レール１３Ｃの構造は、摺動レール１２Ｂ及び結合レール１３Ｂと同一であり、２つの封止レール１４Ｂはそれぞれ、結合レール１３Ｂ及びサブ結合レール１３Ｃをカバーするように、摺動レール１２Ｂ及びサブ摺動レール１２Ｃの底面に凸設される。
【００３９】
前記サブ掛止部材２０Ｃは、サブ摺動レール１２Ｃ及びサブ結合レール１３Ｃに取り付けられ、前記掛止プレート２１Ｃ及び掛止ブロック２２Ｃを備え、また、該掛止プレート２１Ｃは、サブ結合レール１３Ｃの内部に設置され、当接部２１１Ｃ及び位置決め凹部２１２Ｃを備え、該各位置決め凹部２１２Ｃは、当接部２１１Ｃの上面に形成される細長状の凹部であり、該各掛止ブロック２２Ｃは、掛止プレート２１Ｃに当接するように、摺動可能かつ回転不能にサブ摺動レール１２Ｃの内部に設置されると共に、組立部２２１Ｃ及び掛止部２２２Ｃを備え、そのうち、組立部２２１Ｃは、矩形を呈し、掛止プレート２１Ｃの当接部２１１Ｃに当接するようにサブ摺動レール１２Ｃに設置され、該組立部２２１Ｃの位置決め凸部２２４Ｃは、位置決め凹部２１２Ｃに係合可能な係合リブであり、これにより、掛止ブロック２２Ｃをしっかりと掛止プレート２１Ｃに位置決めてサブ摺動レール１２Ｃに対するずれを防止する。
【００４０】
さらに、前記各支持座４２Ｂは、対応する、摺動レール１２Ｂ、サブ摺動レール１２Ｃ、結合レール１３Ｂ、サブ結合レール１３Ｃ、２つの封止レール１４Ｂを封止できる長さを有する。
【００４１】
図２２及び図２３に示すように、第四実施例の多機能手工具ホルダを使用する時は、複数のソケット８０をそれぞれ掛止部材２０Ｂの掛止ブロック２２Ｂ及びサブ掛止部材２０Ｃの掛止ブロック２２Ｃに環装し、そのうち、掛止部材２０Ｂの各組立部２２１Ｂは円形プレートであることから、掛止部材２０Ｂの掛止ブロック２２Ｂに環装されたソケット８０は摺動レール１２Ｂに対して回転したり摺動したりすることができる。また、サブ掛止部材２０Ｃの各組立部２２１Ｃは矩形のプレートであるため、サブ掛止部材２０Ｃの掛止ブロック２２Ｃに環装されたソケット８０はサブ摺動レール１２Ｃに対して摺動可能であるが、回転することはない。
【００４２】
図２４に示すように、本発明に係る多機能手工具ホルダの第五実施例は、図１８乃至図２２に示した第四実施例と殆ど同一であるが、以下の点において異なる。
第五実施例の多機能手工具ホルダはさらに、延設摺動レール１２Ｄ、延設結合レール１３Ｄ、延設掛止部材２０Ｄを有し、該延設摺動レール１２Ｄは、延設プレート１５Ｄを介して摺動レール１２Ｂに連結され、該延設結合レール１３Ｄは、延設摺動レール１２Ｄの内部に設置され、該延設掛止部材２０Ｄは、延設摺動レール１２Ｄ及び延設結合レール１３Ｄに取り付けられる。
尚、その延設摺動レール１２Ｄ、延設結合レール１３Ｄ、延設掛止部材２０Ｄの構造は、摺動レール１２Ｂ、結合レール１３Ｂ、掛止部材２０Ｂと同一である。
このように、前記延設摺動レール１２Ｄ、延設結合レール１３Ｄ、延設掛止部材２０Ｄを有すれば、多くのソケット８０を収納して持ち運ぶことができる。尚、各支持座４２Ｃは、対応する、摺動レール１２Ｂ、サブ摺動レール１２Ｃ、延設摺動レール１２Ｄ、結合レール１３Ｂ、サブ結合レール１３Ｃ、延設結合レール１３Ｄ、２つの封止レール１４Ｂを封止できる長さを有する。
【００４３】
上述したように、本発明に係る多機能手工具ホルダは、底座１０、１０Ｂに掛止部材２０、２０Ｂ及び挟持部材３０、３０Ｂを設置することによって、ソケット及び作業工具５０を同時に底座１０、１０Ｂに掛止して収納することができることから、使用利便性が高く、更には、使用中にソケットや作業工具５０の紛失を防止することもできる。
さらに、底座１０、１０Ｂの両端にそれぞれ取っ手部材４０、４０Ｂが設置されることから、支持座４２、４２Ｂにより底座１０、１０Ｂの構造をより強化できると共に、取っ手板４２４を握持すれば多機能手工具ホルダを持ち運びやすくなり、また、その取っ手部材４０に磁性体４３を設置すれば、多機能手工具ホルダをツールラックなどの金属物に吸着して位置決めることもできる。
その上、前記底座１０Ｂに掛止部材２０Ｂ、２０Ｃ、２０Ｄ及び挟持部材３０Ｂが設けられる場合も、ソケット８０や作業工具５０を同時に底座１０Ｂに掛止して収納できるので、ソケット８０や作業工具５０が紛失することはない。
【符号の説明】
【００４４】
１０、１０Ｂ                    底座
１１、１１Ａ、１１Ｂ            底板
１１１                          貫通溝
１１２、１１２Ｂ                収容穴
１１３Ｂ                        結合穴
１２、１２Ａ、１２Ｂ            摺動レール
１２Ｃ                          サブ摺動レール
１２Ｄ                          延設摺動レール
１２１                          上開口
１２２、１２２Ｂ                摺動溝
１３、１３Ｂ                    結合レール
１３Ｃ                          サブ結合レール
１３Ｄ                          延設結合レール
１３１                          連通開口
１３２                          結合溝
１４、１４Ｂ                    封止レール
１４１                          下開口
１４２                          封止溝
１５Ｄ                          延設プレート
２０、２０Ｂ                    掛止部材
２０Ｃ                          サブ掛止部材
２０Ｄ                          延設掛止部材
２１、２１Ｂ、２１Ｃ            掛止プレート
２１１、２１１Ｂ、２１１Ｃ      当接部
２１２Ｂ、２１２Ｃ              位置決め凹部
２２、２２Ｂ、２２Ｃ            掛止ブロック
２２１、２２１Ｂ、２２１Ｃ      組立部
２２２、２２２Ｃ                掛止部
２２３                          掛止凸
２２４、２２４Ｂ、２２４Ｃ      位置決め凸部
３０、３０Ｂ                    挟持部材
３１、３１Ｂ                    ホルダ部材
３１１、３１１Ｂ                結合部
３１２、３１２Ｂ                挟持部
３１３                          固定凸部
３１４                          挟持凸部
３２Ｂ                          蓋
３２１Ｂ                        挿入穴
３２２Ｂ                        挿設柱
３２３Ｂ                        ガスケット
３２４Ｂ                        螺合ユニット
４０、４０Ｂ                    取っ手部材
４１、４１Ｂ                    取付プレート
４１１                          取付穴
４２、４２Ｂ、４２Ｃ            支持座
４２１                          封止板
４２２                          延出板
４２３                          連結レール
４２４                          持ち板
４２５                          貫通穴
４３                            磁性体
４３１                          フレーム
４３２                          磁性ブロック
５０                            作業工具
５１                            突出部
６０                            取付ユニット
７０                            固定ユニット
８０                            ソケット
Ｗ１、Ｗ２、Ｗ３、Ｗ４、Ｗ５、Ｗ６        幅
Ｇ                              隙間
【図１】
2018058207.tif 000003
【図２】
2018058207.tif 000004
【図３】
2018058207.tif 000005
【図４】
2018058207.tif 000006
【図５】
2018058207.tif 000007
【図６】
2018058207.tif 000008
【図７】
2018058207.tif 000009
【図８】
2018058207.tif 000010
【図９】
2018058207.tif 000011
【図１０】
2018058207.tif 000012
【図１１】
2018058207.tif 000013
【図１２】
2018058207.tif 000014
【図１３】
2018058207.tif 000015
【図１４】
2018058207.tif 000016
【図１５】
2018058207.tif 000017
【図１６】
2018058207.tif 000018
【図１７】
2018058207.tif 000019
【図１８】
2018058207.tif 000020
【図１９】
2018058207.tif 000021
【図２０】
2018058207.tif 000022
【図２１】
2018058207.tif 000023
【図２２】
2018058207.tif 000024
【図２３】
2018058207.tif 000025
【図２４】
2018058207.tif 000026